(57)【要約】      （修正有）【課題】スライド動によりケースの体積を変えることができ、これにより小さな体積で運搬、倉庫保管作業を行うことができ、使用者の必要に応じてコンピュータケースの体積を変えることができる可動式コンピュータケース構造を提供する。【解決手段】第一箱体１内には第一収納空間を設置し、該第一箱体は該第一収納空間の少なくとも片側に第一通孔を開設し、該第一箱体には少なくとも１本の第一滑動部１８を設置する。第二箱体２は該第一収納空間に対応、収納し、該第二箱体内には第二収納空間２６を形成する。第二箱体２は該第二収容空間の少なくとも片側に第二通孔２７を開設し、該第一通孔に対応し連通し、第二箱体２は少なくとも１本の第二滑動部２８を設置し、第一滑動部１８に対応滑動する。これにより第二箱体２は第一滑動部１８に沿って該第一収納空間に相対しスライド動を行い、第二箱体２は該第一収納空間内に入る。【選択図】図５
0003142915.tif 000002
【実用新案登録請求の範囲】
【請求項１】
第一箱体、第二箱体により組成し、
該第一箱体内には第一収納空間を設置し、該第一箱体は該第一収納空間の少なくとも片側に第一通孔を開設し、該第一箱体には少なくとも１本の第一滑動部を設置し、
該第二箱体は該第一収納空間に対応、収納し、該第二箱体内には第二収納空間を形成し、該第二箱体は該第二収容空間の少なくとも片側に第二通孔を開設し、該第一通孔に対応し連通し、該第二箱体は少なくとも１本の第二滑動部を設置し、該第一滑動部に対応滑動し、
これにより該第二箱体は該第一滑動部に沿って、該第一収納空間に相対しスライド動を行うことを特徴とする可動式コンピュータケース構造。
【請求項２】
請求項１記載の可動式コンピュータケース構造において、前記第一箱体は該第一収納空間内に少なくとも１本の該第一滑動部を設置し、該第二箱体表面には少なくとも１本の該第二滑動部を対応設置することを特徴とする可動式コンピュータケース構造。
【請求項３】
請求項２記載の可動式コンピュータケース構造において、前記第一箱体は該第一収納空間内の頂、底両側に少なくとも１本の該第一滑動部をそれぞれ設置し、該第二箱体の頂、底両側表面には少なくとも１本の第二滑動部をそれぞれ対応設置することを特徴とする可動式コンピュータケース構造。
【請求項４】
請求項１記載の可動式コンピュータケース構造において、前記第一滑動部は内レールで、該第二滑動部は対応する外レールであることを特徴とする可動式コンピュータケース構造。
【請求項５】
請求項１記載の可動式コンピュータケース構造において、前記第一箱体は第一前板、第一後板、第一頂板、第一底板、第一左側板、第一右側板が相互に接続する六面封鎖体で、該第一前板には該第一通孔を開設することを特徴とする可動式コンピュータケース構造。
【請求項６】
請求項１記載の可動式コンピュータケース構造において、前記第二箱体は第二前板、第二頂板、第二底板、第二左側板、第二右側板が相互に接続し、しかも後側に該第二通孔を形成する五面封鎖体であることを特徴とする可動式コンピュータケース構造。
【考案の詳細な説明】
【技術分野】
【０００１】
本考案は可動式コンピュータケース構造に関する。特にスライド動によりコンピュータケースの体積を変えることができ、これにより小さな体積で運搬、倉庫保管作業を行うことができ、使用者の必要に応じてコンピュータケースの体積を変えることができ、コンピュータＣＰＵ及びその関連パーツを装置することができる可動式コンピュータケース構造に係る。
【背景技術】
【０００２】
公知のコンピュータケースはコンピュータＣＰＵと関連パーツを収納するものである。それは、ＣＰＵと関連パーツをコンピュータケースの適当な位置に固設、保護し、ＣＰＵ作動時の外力衝突による損壊を避けることを目的とする。よってコンピュータケースは堅固な密封構造であることが求められる。
さらに、ＣＰＵは作動時に高熱を発生するが、ＣＰＵが発する熱はＣＰＵ本体の作業適応温度より高いため、ＣＰＵは過熱によりダウンし、損壊してしまう場合さえある。これを避けるために、密閉されたコンピュータケースにはファンなどを設置し、また一定の空間を留保し、ＣＰＵの作動時に、外界の冷たい空気と接触対流及び熱交換ができるようにしなければならない。さもなければ、熱を排出しＣＰＵの正常な作動温度を維持することはできないため、コンピュータケースは一定の空間を備える密封体積が必要なのである。
【０００３】
この他、コンピュータケースは出荷から店頭に並び消費者の選択に供され、その後ＣＰＵと組み立てられるが、非常に長い運送保管の期間中には無駄に放置されるだけの期間がある。しかし、コンピュータケースは一定の体積があるため、運搬においては非常に多くの空間を占拠し、物流運輸コストを引き下げることができない。特に原油高の現在、燃料の浪費は重大な問題である。
また、無駄に放置するだけの状況では、その膨大な体積は限りある倉庫空間を占用するため、業者の倉庫保管コストを上げてしまい、また消費者購入後の運搬をも不便にしてしまっている。
さらに、コンピュータケースは体積が固定であるため、消費者が選択したベアボーンシステムのＣＰＵをアップグレードさせ周辺設備を増やそうとしても、もとのケースに収まらず、より大きなサイズのケースに交換しなければならない状況がしばしば発生する。もとのケースは壊れてもいないのに、廃棄されてしまい、これでは既存のコンピュータケースとＣＰＵをフレキシブルに組み合わせることはできない。
【考案の開示】
【考案が解決しようとする課題】
【０００４】
本考案の目的は可動式コンピュータケース構造を提供する。スライド動によりケースの体積を変えることができ、これにより小さな体積で運搬、倉庫保管作業を行うことができ、使用者の必要に応じてコンピュータケースの体積を変えることができ、コンピュータＣＰＵ及びその関連パーツを装置する。
【０００５】
上記の目的を達成するため、本考案の可動式コンピュータケース構造は第一箱体、第二箱体を含み、
該第一箱体内には第一収納空間を設置し、該第一箱体は該第一収納空間の少なくとも片側に第一通孔を開設し、該第一箱体には少なくとも１本の第一滑動部を設置し、
該第二箱体は該第一収納空間に対応、収納し、該第二箱体内には第二収納空間を形成し、該第二箱体は該第二収容空間の少なくとも片側に第二通孔を開設し、該第一通孔に対応し連通し、該第二箱体は少なくとも１本の第二滑動部を設置し、該第一滑動部に対応滑動する。
【０００６】
これにより該第二箱体は該第一滑動部に沿って、該第一収納空間に相対しスライド動を行い、該第二箱体は該第一収納空間内に入り、こうしてケースの体積を縮小し、運搬及び保管の利便性を向上させ、
使用者がＣＰＵ及び関連パーツを装置する時には、該第二箱体を該第一滑動部に沿って、該第一収納空間に相対し滑動させることで、該第二箱体は該第一収納空間から離れ、こうして該第一収納空間と該第二収納空間は接合し装置空間を形成し、ＣＰＵ及び関連パーツを装置することができる。
【課題を解決するための手段】
【０００７】
請求項１の考案は、可動式コンピュータケース構造は第一箱体、第二箱体により組成し、
該第一箱体内には第一収納空間を設置し、該第一箱体は該第一収納空間の少なくとも片側に第一通孔を開設し、該第一箱体には少なくとも１本の第一滑動部を設置し、
該第二箱体は該第一収納空間に対応、収納し、該第二箱体内には第二収納空間を形成し、該第二箱体は該第二収容空間の少なくとも片側に第二通孔を開設し、該第一通孔に対応し連通し、該第二箱体は少なくとも１本の第二滑動部を設置し、該第一滑動部に対応滑動し、
これにより該第二箱体は該第一滑動部に沿って、該第一収納空間に相対しスライド動を行うことを特徴とする可動式コンピュータケース構造としている。
請求項２の考案は、請求項１記載の可動式コンピュータケース構造において、前記第一箱体は該第一収納空間内に少なくとも１本の該第一滑動部を設置し、該第二箱体表面には少なくとも１本の該第二滑動部を対応設置することを特徴とする可動式コンピュータケース構造としている。
請求項３の考案は、請求項２記載の可動式コンピュータケース構造において、前記第一箱体は該第一収納空間内の頂、底両側に少なくとも１本の該第一滑動部をそれぞれ設置し、該第二箱体の頂、底両側表面には少なくとも１本の第二滑動部をそれぞれ対応設置することを特徴とする可動式コンピュータケース構造としている。
請求項４の考案は、請求項１記載の可動式コンピュータケース構造において、前記第一滑動部は内レールで、該第二滑動部は対応する外レールであることを特徴とする可動式コンピュータケース構造としている。
請求項５の考案は、請求項１記載の可動式コンピュータケース構造において、前記第一箱体は第一前板、第一後板、第一頂板、第一底板、第一左側板、第一右側板が相互に接続する六面封鎖体で、該第一前板には該第一通孔を開設することを特徴とする可動式コンピュータケース構造としている。
請求項６の考案は、請求項１記載の可動式コンピュータケース構造において、前記第二箱体は第二前板、第二頂板、第二底板、第二左側板、第二右側板が相互に接続し、しかも後側に該第二通孔を形成する五面封鎖体であることを特徴とする可動式コンピュータケース構造としている。
【考案の効果】
【０００８】
本考案の構造はケース体積の改変を確実に達成することができ、これにより小さな体積で運搬、倉庫保管作業を行うことができ、使用者の必要に応じてコンピュータケースの体積を変えることができる。
【考案を実施するための最良の形態】
【０００９】
図１、２、３に示すように、本考案は第一箱体１、第二箱体２により組成する。
図３、４、５、６に示すように、該第一箱体１は第一前板１１、第一後板１２、第一頂板１３、第一底板１４、第一左側板１５、第一右側板１５が相互に接続する六面封鎖体である。
該第一箱体１内には第一収納空間１７を設置し、該第一箱体１は該第一収納空間１７片側の該第一前板１１に第一通孔１１１を開設する。該第一箱体１の該第一頂板１３と該第一底板１４は該第一収納空間１７の頂面、底面にそれぞれ対応し、第一滑動部１８を設置する。該第一滑動部１８は内レールである。
【００１０】
図２、４、５、６に示すように、該第二箱体２は第二前板２１、第二頂板２２、第二底板２３、第二左側板２４、第二右側板２５が相互に接続する五面封鎖体である。
該第二箱体２内には第二収納空間２６を形成し、該第二箱体２後側には第二通孔２７を開設し、該第一通孔１１１に対応し連通する。しかも該第二箱体２は該第一収納空間１７を対応、収納し、該第二箱体２の該第二頂板２２と該第二底板２３は該第一頂板１３と該第一底板１４に対応し、それぞれ第二滑動部２８をそれぞれ設置する。該第二滑動部２８は一対の対応した外レールで、該第一滑動部１８に対応滑動する。
【００１１】
該第一箱体１と該第二箱体２の対応設置方式を図２、３、５、６、７に示す。図に示すように、該２本の第二滑動部２８を該２本の第一滑動部１８に沿って滑動させることにより、該第二箱体２は該第一収納空間１７に相対し滑動する。これにより該第二箱体２は該第一収納空間１７に収納され、ケース全体の体積を縮小することができ、運搬、収蔵に便利となる。
使用者がＣＰＵ及び関連パーツを装置しようとする時には、該２本の第二滑動部２８を該２本の第一滑動部１８に沿って滑動させることにより、該第二箱体２は該第一収納空間１７に相対し滑動する。こうして該第一収納空間１７と該第二収納空間２６は接合し装置空間を形成し、ＣＰＵ及び関連パーツを装置することができる。
【００１２】
上記実施により、本考案は以下の長所を備える。
１．本考案は該第二滑動部２８を該第一滑動部１８に沿って滑動させることにより、該第二箱体２は該第一収納空間１７に相対し滑動し、こうしてケース全体の体積を縮小し、運輸量を増加させ、物流運輸コストと燃料費を引き下げることができる。
２．本考案はケース全体の体積を確実に縮小し、倉庫空間により多くのケースを保管可能とし、こうして倉庫保管の効率を上げ、倉庫保管コストを低下させることができる。
３．本考案は使用者の必要に応じてケース体積を変え、これにより自身の使用に適したＣＰＵ及び関連パーツを装置可能となり、使用の利便性を大幅に拡大し、しかも縮小されたケースは使用の運搬に便利である。
【図面の簡単な説明】
【００１３】
【図１】本考案の立体外観図である。
【図２】本考案第二箱体の立体分解図である。
【図３】本考案第一箱体の立体分解図である。
【図４】本考案の局部断面概略図である。
【図５】本考案実施例装置の立体概略図である。
【図６】本考案の組立ての局部立体概略図である。
【図７】本考案スライド動状態の局部立体概略図である。
【符号の説明】
【００１４】
１  第一箱体
１１  第一前板
１１１  第一通孔
１２  第一後板
１３  第一頂板
１４  第一底板
１５  第一左側板
１６  第一右側板
１７  第一収納空間
１８  第一滑動部
２  第二箱体
２１  第二前板
２２  第二頂板
２３  第二底板
２４  第二左側板
２５  第二右側板
２６  第二収納空間
２７  第二通孔
２８  第二滑動部
【図１】
0003142915.tif 000003
【図２】
0003142915.tif 000004
【図３】
0003142915.tif 000005
【図４】
0003142915.tif 000006
【図５】
0003142915.tif 000007
【図６】
0003142915.tif 000008
【図７】
0003142915.tif 000009